(57)【要約】  呼び登録装置１００は、エレベータ乗場に設置された認証情報入力装置４０と接続している。呼び登録装置１００は、認証情報入力装置４０と同じエレベータ乗場に設置される乗場呼び登録端末１０ａを備えている。乗場呼び登録端末１０ａは、通常状態では行先釦を表示している乗場側情報表示部１１ａを有する。正規ユーザＡ７１が認証情報入力装置４０に認証情報を入力すると、呼び登録装置１００は、認証処理を実行する。正規ユーザＡ７１の行先階は予め呼び登録装置１００に登録されている。呼び登録装置１００は認証が成立すると、乗場呼び、行先呼びを自動登録する。この自動登録とともに、呼び登録装置１００は、乗場呼びの自動登録によりかごが到着するまでの間、乗場側情報表示部１１ａの行先釦の表示を所定の情報の表示に切り換える。
2009122492.tif 000002
【特許請求の範囲】
【請求項１】
エレベータの呼びを登録するエレベータ呼び登録装置において、
予め定められたエレベータ乗場に設置され、正規ユーザであることを示す認証情報を読み込む認証情報読込部と、
前記認証情報読込部によって読み込まれた前記認証情報が正規ユーザを示すかどうかを判定する認証部と、
情報を表示する情報表示部を備えるとともに、前記認証情報読込部が設置された前記エレベータ乗場である読込部設置乗場と、エレベータのかごの内部との少なくともいずれかに前記情報表示部とともに設置され、エレベータの呼びを受け付ける呼び受付部と、
前記認証部による認証が成立すると、前記読込部設置乗場に前記かごを呼ぶ乗場呼びと、前記認証された前記正規ユーザに対応して予め定められている行先階を示す行先呼びとを自動登録する乗場行先呼び自動登録部と、
前記乗場呼びに応答した前記かごに前記行先呼びを割り当てるかご行先呼び割当部と、
前記認証部による認証が成立すると、前記呼び受付部が前記読込部設置乗場に設置されている場合には前記読込部設置乗場に設置された前記呼び受付部の前記情報表示部である乗場側情報表示部に所定の情報を表示するとともに、前記呼び受付部が前記かごの内部に設置されている場合には認証の成立に基づき前記行先呼びが自動登録された前記かごの内部に設置された前記呼び受付部の前記情報表示部であるかご側情報表示部に所定の情報を表示する表示制御部と
を備えたことを特徴とするエレベータ呼び登録装置。
【請求項２】
前記呼び受付部は、
前記読込部設置乗場に設置され、
前記表示制御部は、
前記認証部による認証が成立したときから、前記乗場行先呼び自動登録部による前記乗場呼びの自動登録に応答した前記かごが前記読込部設置乗場に到着するまでの間、前記読込部設置乗場に設置された前記呼び受付部の前記乗場側情報表示部に前記所定の情報を表示することを特徴とする請求項１記載のエレベータ呼び登録装置。
【請求項３】
前記呼び受付部は、
前記読込部設置乗場に設置され、
前記エレベータ呼び登録装置は、さらに、
前記読込部設置乗場に存在するエレベータ利用者を検出する乗場エレベータ利用者検出部を備え、
前記表示制御部は、
前記認証部による認証が成立し、かつ、前記乗場エレベータ利用者検出部によって前記読込部設置乗場に認証された前記正規ユーザのみが検出されている場合には前記読込部設置乗場に設置された前記呼び受付部の前記乗場側情報表示部に前記所定の情報を表示するとともに、前記乗場側情報表示部に前記所定の情報を表示中に前記乗場エレベータ利用者検出部によって前記読込部設置乗場に前記認証された正規ユーザ以外のエレベータ利用者が検出された場合には前記乗場側情報表示部の表示を元の表示状態に戻すことを特徴とする請求項１または２のいずれかに記載のエレベータ呼び登録装置。
【請求項４】
前記呼び受付部は、
前記読込部設置乗場に設置され、
前記エレベータ呼び登録装置は、さらに、
前記読込部設置乗場に存在するエレベータ利用者を検出する乗場エレベータ利用者検出部を備え、
前記表示制御部は、
前記乗場エレベータ利用者検出部によって少なくとも１名のエレベータ利用者が検出中において更に新たなエレベータ利用者が検出され、かつ、前記新たなエレベータ利用者の検出後に前記認証部による認証が成立した場合には、前記読込部設置乗場に設置された前記乗場側情報表示部に前記所定の表示をすることなく現在の表示状態を維持することを特徴とする請求項１〜３のいずれかに記載のエレベータ呼び登録装置。
【請求項５】
前記呼び受付部は、
前記かごの内部に設置され、
エレベータ呼び登録装置は、さらに、
前記正規ユーザと関連付けられ、かつ、行先階を特定する行先情報を記憶する個人情報記憶部を備え、
前記乗場行き先呼び自動登録部は、
前記認証部による認証が成立すると、認証された前記正規ユーザと関連付けられた前記行先情報によって特定される前記行先階を前記行先呼びとして自動登録し、
前記表示制御部は、
自動登録された前記乗場呼びに応答した前記かごが前記読込部設置乗場に到着すると前記かごの内部に設置された前記呼び受付部の前記かご側情報表示部に前記所定の情報を表示するとともに自動登録された前記乗場呼びに応答した前記かごが前記行先呼びの示す前記行先階に到着すると前記かご側情報表示部の表示を元の表示状態に戻すことを特徴とする請求項１〜４のいずれかに記載のエレベータ呼び登録装置。
【請求項６】
前記呼び受付部は、
前記かごの内部に設置され、
前記エレベータ呼び登録装置は、さらに、
前記正規ユーザと関連付けられ、かつ、行先階を特定する行先情報を記憶する個人情報記憶部を備え、
前記乗場行先呼び自動登録部は、
前記認証部による認証が成立すると、認証された前記正規ユーザと関連付けられた前記行先情報によって特定される前記行先階を前記行先呼びとして自動登録し、
前記表示制御部は、
前記かご行先呼び割当部によって前記行先呼びが割り当てられた前記かごに対して、前記行先呼びの前記自動登録の前にいずれかの階への行先呼びが登録されている場合には、前記かごの内部に設置された前記呼び受付部の前記かご側情報表示部に前記所定の情報を表示することなく現在の表示状態を維持することを特徴とする請求項１〜５のいずれか記載の記載のエレベータ呼び登録装置。
【請求項７】
前記呼び受付部は、
前記かごの内部に設置され、
前記エレベータ呼び登録装置は、さらに、
前記正規ユーザと関連付けられ、かつ、行先階を特定する行先情報を記憶する個人情報記憶部と、
前記かご内の乗客を検出するかご内乗客検出部と
を備え、
前記乗場行先呼び自動登録部は、
前記認証部による認証が成立すると、前記正規ユーザと関連付けられた前記行先情報によって特定される前記行先階を前記行先呼びとして自動登録し、
前記表示制御部は、
前記かご行先呼び割当部によって前記行先呼びが割り当てられた前記かごに対して、前記かご内乗客検出部によって乗客が検出中である場合には、前記かごの内部に設置された前記呼び受付部の前記かご側情報表示部に前記所定の情報を表示することなく現在の表示状態を維持することを特徴とする請求項１〜６のいずれかに記載のエレベータ呼び登録装置。
【請求項８】
前記表示制御部は、
前記所定の情報として、前記正規ユーザに対応して予め定められているユーザ対応情報を前記情報表示部に表示することを特徴とする請求項１〜７のいずれかに記載のエレベータ呼び登録装置。
【請求項９】
エレベータ呼び登録装置は、さらに、
前記ユーザ対応情報を他の装置から入力するユーザ対応情報入力部を備え、
前記表示制御部は、
前記ユーザ対応情報入力部によって入力された前記ユーザ対応情報を前記情報表示部に表示することを特徴とする請求項８記載のエレベータの呼び登録装置。
【請求項１０】
前記ユーザ対応情報入力部は、
前記情報表示部に前記所定の情報として表示される対象となる複数の表示対象情報を入力し、
前記エレベータ呼び登録装置は、さらに、
前記ユーザ対応情報入力部によって入力される前記複数の表示対象情報のうちの少なくともいずれかを前記ユーザ対応情報として指定する指定情報を前記正規ユーザごとに記憶する指定情報記憶部を備え、
前記表示制御部は、
前記認証部によって前記正規ユーザと判定されると、前記指定情報記憶部に記憶された前記指定情報を参照することによって、前記認証部によって認証された前記正規ユーザに対応する前記指定情報を特定し、特定された前記指定情報に基づいて前記ユーザ情報入力部によって入力された前記複数の表示対象情報のなかから前記認証部によって認証された前記正規ユーザに対応する前記ユーザ対応情報を選択し、選択された前記ユーザ対応情報を前記所定の情報として前記情報表示部に表示することを特徴とする請求項９記載のエレベータの呼び登録装置。
【請求項１１】
前記呼び受付部は、
前記情報表示部に前記かごの行先階を表示するとともに、表示されたいずれかの前記行先階がタッチされると、タッチされた前記行先階を前記かごの前記行先呼びとして受け付け、
前記表示制御部は、
前記認証部による認証が成立すると、前記情報表示部の前記行先階の表示を前記所定の情報の表示に切り換えることを特徴とする請求項８〜１０のいずれかに記載のエレベータ呼び登録装置。
【発明の詳細な説明】
【技術分野】
【０００１】
この発明は、個人認証の成立によってエレベータの呼びを自動登録するエレベータの呼び登録装置に関する。特に情報表示部を有する呼び登録端末を備えたエレベータの呼び登録装置に関する。
【背景技術】
【０００２】
特許文献１は，タッチパネルで構成された乗場操作盤において、呼びが自動登録されるとタッチボタン表示領域以外の空きスペースにメッセージなどの情報を表示する技術を開示している。【０００３】
特許文献２は、人の指でタッチすることにより動作する入力手段を備え、画面が複数の機能モードに切り換え可能に構成された多機能タッチパネルに関する技術を開示している。【０００４】
特許文献３は、玄関で個人認証することで、エレベータを玄関階まで呼び、居住階まで自動で配車する技術を開示している。【０００５】
タッチパネルディスプレイの行先操作盤にニュースなどの案内情報を表示しする場合、画面を分割することで、行先ボタンと案内情報とを合わせて表示することは可能である。しかし、その場合は、表示する行先ボタンや案内情報の表示サイズが小さくなるため、操作性や可視性が低下する。タッチパネルディスプレイのサイズを大きくすることも考えられるが、操作盤のサイズも大きくなりコストが高くなる。
【特許文献１】特開昭６４−２８１９０号公報
【特許文献２】特開平６−１４４７２６号公報
【特許文献３】特開平１１−３４９２３８号公報
【発明の開示】
【発明が解決しようとする課題】
【０００６】
この発明は、個人認証に基づくエレベータの呼びを自動登録するとともに情報を表示可能な呼び登録装置において、利用者に利便性の高い情報を表示する呼び登録装置を提供することを目的とする。
【課題を解決するための手段】
【０００７】
この発明のエレベータ呼び登録装置は、
エレベータの呼びを登録するエレベータ呼び登録装置において、
予め定められたエレベータ乗場に設置され、正規ユーザであることを示す認証情報を読み込む認証情報読込部と、
前記認証情報読込部によって読み込まれた前記認証情報が正規ユーザを示すかどうかを判定する認証部と、
情報を表示する情報表示部を備えるとともに、前記認証情報読込部が設置された前記エレベータ乗場である読込部設置乗場と、エレベータのかごの内部との少なくともいずれかに前記情報表示部とともに設置され、エレベータの呼びを受け付ける呼び受付部と、
前記認証部による認証が成立すると、前記読込部設置乗場に前記かごを呼ぶ乗場呼びと、前記認証された前記正規ユーザに対応して予め定められている行先階を示す行先呼びとを自動登録する乗場行先呼び自動登録部と、
前記乗場呼びに応答した前記かごに前記行先呼びを割り当てるかご行先呼び割当部と、
前記認証部による認証が成立すると、前記呼び受付部が前記読込部設置乗場に設置されている場合には前記読込部設置乗場に設置された前記呼び受付部の前記情報表示部である乗場側情報表示部に所定の情報を表示するとともに、前記呼び受付部が前記かごの内部に設置されている場合には認証の成立に基づき前記行先呼びが自動登録された前記かごの内部に設置された前記呼び受付部の前記情報表示部であるかご側情報表示部に所定の情報を表示する表示制御部と
を備えたことを特徴とする。
【発明の効果】
【０００８】
この発明のエレベータの呼び登録装置によって、エレベータ利用者に利便性の高い多くの情報を提供することができる。
【発明を実施するための最良の形態】
【０００９】
実施の形態１．
図１〜図７を用いて実施の形態１を説明する。実施の形態１は、情報表示部１１を有する登録端末１０を備えた呼び登録装置１００が、個人認証の成立を契機としてエレベータの呼びを自動登録するとともに情報表示部１１の表示を切り換える場合を説明する。以下に説明する呼び登録装置１００は情報表示部１１を備えるが、この情報表示部１１は、エレベータかごの行先を受け付ける呼び登録端末１０（呼び受付部）に含まれる。情報表示部１１は呼び登録端末１０とともに同じ設置場所に設置される。呼び登録端末１０は、エレベータ乗場に設置されてもよいし、エレベータのかご内部に設置されてもよいし、両方に設置されてもよい。エレベータ乗場に設置される呼び登録端末１０を「乗場呼び登録端末１０ａ」と呼び、エレベータのかご内部に設置される呼び登録端末１０を「かご呼び登録端末１０ｂ」と呼ぶこととする。特に区別する必要のない場合には、呼び登録端末１０という。呼び登録端末１０は、例えばタッチパネルディスプレイとして実現される。以下では、呼び登録端末１０は、タッチパネルディスプレイとする。また、以下の実施の形態１では、まず、呼び登録端末１０がエレベータ乗場に設置された場合（乗場呼び登録端末１０ａ）を説明し、次に、呼び登録端末１０がエレベータかご（以下、「かご」という）の内部に設置された場合（かご呼び登録端末１０ｂ）を説明する。【００１０】
＜Ａ．乗場呼び登録端末１０ａ＞
図１は、乗場呼び登録端末１０ａが、エレベータ乗場に設置される場合を説明する図である。図１に示すように、呼び登録装置１００は、乗場呼び登録端末１０ａを備えている。乗場呼び登録端末１０ａが設置されている乗場には、認証情報入力装置４０（認証情報読込部）が設置される。認証情報入力装置４０は、呼び登録装置１００に接続している。ユーザＡ７１は、認証情報入力装置４０に認証情報を入力する。このように、乗場呼び登録端末１０ａと認証情報入力装置４０とは、同一のエレベータ乗場に設置される。【００１１】
以下の実施の形態１及び実施の形態２では、次の（１）〜（３）を前提とする。
（１）呼び登録端末１０（乗場呼び登録端末１０ａ，かご呼び登録端末１０ａ）は、タッチパネルディスプレイである。
（２）認証情報入力装置４０は、１階の共同玄関のエレベータ乗場に設置されている。
（３）ユーザＡ７１は、正規のユーザであり、３階に部屋を持っている住人である。【００１２】
（乗場側情報表示部１１ａ）
図２は、乗場呼び登録端末１０ａの備える乗場側情報表示部１１ａの表示を示す図である。かご側情報表示部１１ｂも同様である。図２に示すように、乗場呼び登録端末１０ａは、情報を表示する乗場側情報表示部１１ａを備えている。図２（ａ）は、乗場側情報表示部１１ａの通常状態の表示を示している。図２（ａ）に示すように、例えば乗場側情報表示部１１ａは、通常状態では、「１」、「２」等の行先階を示す行先釦１３を表示している。乗場側情報表示部１１ａは、後述するように、照合部４によるユーザ認証が成立すると、通常状態の表示である行先釦１３の表示から、図２（ｂ）に示すようなニュースや映像など、予め設定されている案内情報（所定の情報）の表示に切り換わる。なお、ここで述べる「案内情報」とは、テレビ放送、ビデオ放送、配信されるニュースや株価情報などの一般的な情報を指す。また、実施の形態２で説明するが、かご６０内やエレベータ乗場もしくは居室のカメラ映像、宅配ボックスの情報など、個人に関連した情報でも良い。これら個人に関連した情報は「ユーザ対応情報」として、実施の形態２で詳しく説明する。【００１３】
（動作概要）
図３は、呼び登録装置１００の動作の概要を示すフローチャートである。図３を参照して、呼び登録装置１００の特徴部分の動作概要を説明する。図１において、ユーザＡ７１が正規のユーザであれば、呼び登録装置１００は、ユーザＡ７１の個人情報を既に記憶している。認証情報入力装置４０の設置されている共同玄関が１階であり、ユーザＡ７１の居室が３階であれば、呼び登録装置１００は、ユーザＡ７１についての個人情報として、「行先呼び」への変換が可能なユーザＡ７１の居室階や部屋番号の情報を記憶している。この前提のもとで、呼び登録装置１００の概要動作は、次の様である。
（１）Ｓ１１において、呼び登録装置１００では、照合部４が、認証情報入力装置４０から入力されたユーザＡ７１の個人情報について、認証が成立するかどうかを判断する。認証ＯＫの場合はＳ１２へ進み、認証ＮＧの場合はＳ１３へ進む。
（２）認証ＯＫであれば、Ｓ１２において、呼び登録装置１００は、図２に示すように、乗場側情報表示部１１ａの表示内容を通常状態の行先釦１３の表示（図２（ａ））から図、案内情報の表示（図２（ｂ））に切り換える。
（３）認証ＮＧの場合は、Ｓ１３において、乗場側情報表示部１１ａは、行先釦１３を継続して表示する。
（４）以上のように、呼び登録装置１００の特徴は、個人認証が成立した場合に、乗場呼び登録端末１０ａの備える乗場側情報表示部１１ａの現状の「行先釦１３の表示」を、予め定められている「所定の表示」に切り換える点にある。【００１４】
（呼び登録装置１００の構成）
図４は、呼び登録装置１００の構成を示す図である。図４を参照して呼び登録装置１００の構成を説明する。なお、図４の呼び登録装置１００は、乗場呼び登録端末１０ａ（呼び受付部）とかご呼び登録端末１０ｂ（呼び受付部）とを備える構成としている。呼び登録装置１００は、呼び登録端末１０（乗場呼び登録端末１０ａ、かご呼び登録端末１０ｂ）、表示対象情報入力部２０、かご内乗客検出部３１、乗場エレベータ利用者検出部３２、かご停止検出部３３、乗場側情報表示部１１ａとかご側情報表示部１１ｂとの表示切り換えを制御する表示切換制御部２（表示制御部）、照合部４（認証部）、個人情報データベース５（個人情報記憶部、指定情報記憶部）を備える。また、呼び登録装置１００は、共通管理装置８０、各台管理装置９０、認証情報入力装置４０（認証情報読込部）と接続している。認証情報入力装置４０は、照合部４に接続している。【００１５】
（乗場呼び登録端末１０ａ）
乗場呼び登録端末１０ａは、乗場側情報表示部１１ａ、乗場側呼び入力制御部１２ａを備えている。乗場側情報表示部１１ａは、表示切換制御部２の制御により、情報を表示する。乗場側呼び入力制御部１２ａは、乗場呼びを受け付ける。【００１６】
（かご呼び登録端末１０ｂ）
かご呼び登録端末１０ｂも、乗場呼び登録端末１０ａと同様の構成である。かご呼び登録端末１０ｂはかご側情報表示部１１ｂ、かご側呼び入力制御部１２ｂを備えている。かご側情報表示部１１ｂは、表示切換制御部２の制御により、情報を表示する。かご側呼び入力制御部１２ｂは、かご呼びを受け付ける。【００１７】
（共通管理装置８０）
共通管理装置８０は、乗場呼び登録部８１、乗場行先呼び自動登録部８２、かご行先呼び割当部８３を備える。【００１８】
（各台管理装置９０）
各台管理装置９０は、かご呼び登録部９１を備える。【００１９】
図４を参照して説明する。
（１）乗場呼び登録端末１０ａは、共同玄関の乗場においてエレベータの行先階を受け付ける端末である。前述のように、この例では、乗場呼び登録端末１０ａはタッチパネルディスプレイである。乗場呼び登録端末１０ａは、乗場側情報表示部１１ａと乗場側呼び入力制御部１２ａとを備える。乗場側情報表示部１１ａは、図２（ａ）に示したように、通常状態として行先釦１３を表示する。乗場側呼び入力制御部１２ａは、乗場側情報表示部１１ａのいずれかの行先釦１３がタッチされた場合に、タッチされた行先釦１３の示す行先階を行先呼びとして受け付け、タッチされた行先釦１３の情報を乗場呼び登録部８１に出力する。
（２）認証情報入力装置４０は、ユーザＡ７１などのエレベータ利用者から個人認証のための認証情報（暗証番号、生体情報など）の入力を受け付ける。
（３）個人情報データベース５（個人情報記憶部）は、認証情報入力装置４０が出力した認証情報と対比するべき正規ユーザの認証用の情報や、「行き先呼び」を特定するための正規ユーザの居室番号や、居室階情報などの個人情報を記憶しているデータベースである。この個人情報データベース５に記憶されている正規ユーザの個人情報は、照合部４による照合に使用され、あるいは、乗場行先呼び自動登録部８２による行先呼びに対応する行先階の特定に使用される。
（４）照合部４は、認証情報入力装置４０が出力した認証情報と個人情報データベース５に記憶されている認証用の情報とを照合する。照合部４は、ユーザの認証が成立した場合、個人情報データベース５に記憶されている前記ユーザの「行先階」を特定可能な情報を乗場行先呼び自動登録部８２に出力する。
（５）乗場行先呼び自動登録部８２は照合部４から正規ユーザの「行先階」を特定可能な情報を入力すると、この「行先階」の情報に基づき、乗場呼び、行先呼びを自動登録する。具体的には、乗場行先呼び自動登録部８２は、照合部４から「行先階」の情報を入力すると、乗場呼び登録部８１に乗場呼びを登録させるとともに、かご行先呼び割当部８３に「かご」の割当を依頼する。かご行先呼び割当部８３は「かご」の割当を決定すると、割り当てた「かご」の制御を、その「かご」を制御する各台管理装置９０に依頼する。各台管理装置９０のかご呼び登録部９１は、かご行先呼び割当部８３からの依頼に応答して、「かご」を制御する。すなわち、認証された正規ユーザの行先階に「かご」を運行する。
（６）一方、表示対象情報入力部２０は、乗場側情報表示部１１ａに表示される対象となる表示対象情報を他の装置から入力する。図４の場合、表示対象情報入力部２０は、ニュースなどの一般情報を入力する一般情報受信部２１を備えている。この場合、「他の装置」とは、例えばニュースを配信するサーバ装置である。一般情報受信部２１は、サーバ装置からニュースを入力する。
（７）かご内乗客検出部３１は、かご６０に乗客が存在するかどうかを検出する。
（８）乗場エレベータ利用者検出部３２は、エレベータ乗場にいるエレベータ利用者を検出する。この場合は認証情報入力装置４０の設置されているエレベータ乗場が問題となるので、乗場エレベータ利用者検出部３２は、認証情報入力装置４０の設置される共同玄関の階のエレベータ乗場に設置される。
（９）表示切換制御部２は、表示対象情報入力部２０の入力した情報を乗場側情報表示部１１ａに表示する制御を実行する。【００２０】
図５は、乗場呼び登録端末１０ａが共同玄関のエレベータ乗場に設置された場合における、表示切換制御部２の動作を示すフローチャートである。図５を参照して表示切換制御部２の具体的な動作を説明する。正規のユーザＡ７１が認証を受ける場合を想定する。まず、呼び登録装置１００によるＳ１０１以前の処理を説明する。
（１）認証情報入力装置４０は、ユーザＡ７１から認証情報（暗証番号、生体情報など）の入力を受け付ける。
（２）認証情報入力装置４０は、ユーザＡ７１から受け付けた認証情報を照合部４に出力する。
（３）照合部４は、認証情報入力装置４０から出力された認証情報を個人情報データベース５に記憶されている認証用のデータ（個人情報の一部）と照合して認証処理を行なう。照合部４は、認証が成立すると、ユーザＡ７１について、すでに記憶している「行先階」などの「行先呼び」を自動登録するために必要な情報を乗場行先呼び自動登録部８２に出力する。
（４）乗場行先呼び自動登録部８２は、前記のように、照合部４が出力した「行先階」を示す情報に従って、ユーザＡ７１の「乗場呼び」、「行先呼び」を自動登録する。
（５）自動登録された「乗場呼び」に対応して、かご６０が共同玄関のある１階のエレベータ乗場に配車される。
（６）一方で、照合部４は、ユーザＡ７１の認証が成立すると、認証成立を示す情報である認証成立情報を表示切換制御部２に出力する。表示切換制御部２は、この認証成立情報を入力すると、図５の一連の動作により、乗場呼び登録端末１０ａの乗場側情報表示部１１ａの表示を行先釦１３の表示から所定の表示に切り換える。【００２１】
（表示切換制御部２の動作）
Ｓ１０１において、表示切換制御部２は、照合部４からの認証成立情報の受信待ちとなっている。表示切換制御部２は、照合部４から認証成立情報が送られてこない場合（Ｓ１０１のＮＯ）、図２（ａ）のように行先釦１３の表示を継続する（Ｓ１０７）。【００２２】
Ｓ１０１において、表示切換制御部２は、照合部４から認証成立情報を受信すると（Ｓ１０１のＹＥＳ）、Ｓ１０２の処理に進む。【００２３】
Ｓ１０２において、乗場行先呼び自動登録部８２による、乗場呼び、行先呼びの自動登録の前に、「他の乗場呼び」が登録されていたかどうかを判定する。表示切換制御部２は、判定に必要な情報を共通管理装置８０から取得する。「他の乗場呼び」が無い場合、処理はＳ１０３に進み、「他の乗場呼び」が有る場合、処理はＳ１０７に進む。【００２４】
Ｓ１０３において、表示切換制御部２は、図２（ｂ）に示すように、乗場側情報表示部１１ａの通常状態である行先釦１３の表示を、所定の情報の表示に切り換える。どのような表示に切り換えるかは、表示切換制御部２に対して予め設定しておく。図４の例では、表示切換制御部２は、乗場側情報表示部１１ａの表示を一般情報受信部２１が受信したニュース表示に切り換える。【００２５】
Ｓ１０４において、表示切換制御部２は、乗場エレベータ利用者検出部３２の出力を参照して、共同玄関の乗場に乗客が存在するかどうかを判定する。表示切換制御部２は、乗場側情報表示部１１ａの表示を図２（ｂ）の表示に切り換えた後に、乗場エレベータ利用者検出部３２によって複数のエレベータ利用者が検出された場合（Ｓ１０４のＹＥＳ）、乗場側情報表示部１１ａの表示を元の行先釦１３（図２（ａ））の表示に戻す。乗場エレベータ利用者検出部３２によって複数のエレベータ利用者が検出されなければ（Ｓ１０４のＮＯ）、処理はＳ１０５に進む。複数のエレベータ利用者が検出されない場合とは、共同玄関のエレベータ乗場に、ユーザＡ７１のみがいる場合である。このように、表示切換制御部２は、乗場エレベータ利用者検出部３２により認証に係るユーザ以外のエレベータ利用者が検出されると乗場側情報表示部１１ａの表示を元に戻すので、すべてのエレベータ利用者の利便性を向上できる。なお、表示切換制御部２は、乗場エレベータ利用者検出部３２によって共同玄関の乗場に少なくとも１名のエレベータ利用者が検出中において更に新たなエレベータ利用者が検出され、かつ、新たなエレベータ利用者の検出後に照合部４による認証が成立した場合には、乗場側情報表示部１１ａに所定の表示をすることなく現在の行先釦１３の表示を維持する。【００２６】
Ｓ１０５において、表示切換制御部２は、乗場行先呼び自動登録部８２により乗場呼びが自動登録された「かご６０」が乗場に到着したかどうかを判定する。判定の情報は、乗場行先呼び自動登録部８２から取得する。表示切換制御部２は、「かご６０」が乗場に到着したと判定すると（Ｓ１０５のＹＥＳ）、乗場呼び登録端末１０ａの乗場側情報表示部１１ａの表示を、元の行先釦１３の表示に戻す（Ｓ１０６）。「かご６０」が到着していないと判定すると（Ｓ１０５のＮＯ）、処理はＳ１０４に戻る。このように、表示切換制御部２は、エレベータの「かご６０」が到着すると乗場側情報表示部１１ａの表示を元に戻すので、すべてのエレベータ利用者の利便性を向上できる。【００２７】
＜Ｂ．かご呼び登録端末１０ｂ＞
次に、図６、図７を参照して、「かご６０」の内部に設置されたかご呼び登録端末１０ｂの場合を説明する。図１の場合と同様に、認証情報入力装置４０は共同玄関のある１階の乗場に設置されており、正規のユーザＡ７１が認証を行う。【００２８】
図６では、かご呼び登録端末１０ｂは、かご扉６１の近くに設置されている。なお、呼び登録装置１００の構成は、図４の通りである。【００２９】
図７は、かご呼び登録端末１０ｂが、かご６０の内部に設置された場合における、表示切換制御部２の動作を示すフローチャートである。前述のように、かご呼び登録端末１０ｂは、表示切換制御部２により表示制御される。図７を参照して表示切換制御部２の具体的な動作を説明する。呼び登録装置１００によるＳ２０１以前の処理は、乗場呼び登録端末１０ａの場合と同様なので説明は省略する。【００３０】
（表示切換制御部２の動作）
Ｓ２０１において、表示切換制御部２は、ステップＳ１０１の場合と同様に、照合部４からの認証成立情報の受信待ちとなっている。表示切換制御部２は、照合部４から認証成立情報が送られてこない場合（Ｓ２０１のＮＯ）、図２（ａ）のように行先釦１３の表示を継続する（Ｓ２０６）。認証成立情報を受信すると、処理はＳ２０２に進む。【００３１】
Ｓ２０２において、表示切換制御部２は、かご内乗客検出部３１の出力を参照して、「かご６０」内の乗客の有無を判定する。すなわち、表示切換制御部２は、かご行先呼び割当部８３によって自動登録の行先呼びが割り当てられた「かご６０」に対して、かご内乗客検出部３１によってユーザＡ７１以外の乗客が既に検出中である場合には、かご側情報表示部１１ｂの表示を切り換えることなく行先釦１３の表示状態を維持する（Ｓ２０６）。かご内乗客検出部３１により乗客が検出されていない場合、処理は、Ｓ２０３に進む。【００３２】
Ｓ２０３において、表示切換制御部２は、図２（ｂ）に示すように、かご側情報表示部１１ｂの通常状態である行先釦１３の表示を所定の情報の表示に切り換える。どのような表示に切り換えるかは、Ｓ１０３の場合と同様に予め設定しておく。【００３３】
Ｓ２０４において、表示切換制御部２は、自動登録された「行先呼び」の示す行先階に「かご６０」が到着したかどうかを判定する。この判定は、かご停止検出部３３から「かご６０」の停止情報を取得し、また、各台管理装置９０から「かご６０」の運行情報を取得することで判定可能である。到着していない場合は、切り換え後の表示が継続され（Ｓ２０４のＮＯ）、到着した場合は、表示切換制御部２は、かご側情報表示部１１ｂの表示を元の行先釦１３の表示に戻す（Ｓ２０５）。【００３４】
なお、表示切換制御部２は、かご行先呼び割当部８３によって自動登録に基づく行先呼びが割り当てられた「かご６０」に対して、前記行先呼びの自動登録の前に、いずれかの階への行先呼びが登録されている場合には、かご側情報表示部１１ｂの表示を切り換えることなく現在の行先釦１３の表示を維持する。【００３５】
以上の実施の形態１では、個人認証と連動して利用できるエレベータは、利用客によるエレベータ（かご）の呼び（乗場呼び）、あるいは「行先呼び」の操作を必要としないことに着目し、所定の期間、タッチパネルディスプレイの表示内容を、案内情報（所定の表示）に切り換える表示切換制御部を備えた呼び登録装置を説明した。【００３６】
以上の実施の形態１では、呼び登録装置１００の表示切換制御部２は、個人認証が成立すると、案内情報を表示する。このため、ユーザの利便性が向上する。【００３７】
実施の形態２．
次に図８〜図１１を参照して、実施の形態２を説明する。実施の形態２は、表示する案内情報（図５のＳ１０３、図７のＳ２０３）が、照合部４によって認証された個人（ユーザ）に対応するユーザ対応情報である場合を説明する。実施の形態１の場合は、例えばユーザＡ７１に対しては、一般的なニュースを表示していた。これに対して実施の形態２では、ユーザＡ７１に対応した「ユーザ対応情報」を乗場側情報表示部１１ａ，あるいはかご側情報表示部１１ｂに表示する実施形態である。実施の形態２は、表示する情報に関する実施形態であり、乗場呼び登録端末１０ａ，かご呼び登録端末１０ｂの両者について同様であるので、以下の説明では、乗場側情報表示部１１ａを例に説明する。【００３８】
図８は実施の形態２における呼び登録装置１００の構成を示すブロック図である。図８の呼び登録装置１００では、図４の呼び登録装置１００に対して、表示対象情報入力部２０（ユーザ対象情報入力部）が、さらに、宅配物情報入力部２２、居室内情報入力部２３、乗場階情報入力部２４を備えている。即ち、表示対象情報入力部２０は、乗場側情報表示部１１ａに表示される対象となる複数の表示対象情報を他の装置から入力する。また、個人情報データベース５（指定情報記憶部）が、対応テーブル５２（指定情報）を備えている点が異なる。【００３９】
（動作概要）
図９は、実施の形態２における呼び登録装置１００の動作の概要を示すフローチャートである。図９を参照して、実施の形態２の呼び登録装置１００の特徴部分の動作概要を説明する。図９は実施の形態１で述べた図２と殆ど同じであるが、Ｓ５２において、個人認証が成立した場合、認証に係る個人（ユーザ）に対応するユーザ対応情報を表示する点が、実施の形態１のＳ１２との相違である。【００４０】
図１０は、個人情報データベース５に記憶されている対応テーブル５１（指定情報の一例）を示す図である。対応テーブル５１は、個人番号、表示内容Ａ〜Ｃ等により構成される。
（１）個人番号は、正規のユーザを特定するための識別番号である。図１０の例では、個人番号は、部屋番号も兼ねている。認証情報入力装置４０から入力された認証情報から、認証されたユーザの個人番号を特定可能である。例えば、個人情報データベース５に、個人番号と認証情報とを対応させた別のテーブルを設ければよい。
（２）表示内容Ａ〜Ｃは、表示対象情報入力部２０の一般情報受信部２１〜乗場階情報入力部２４によって入力（取得）される複数の表示対象情報のうち、乗場側情報表示部１１ａに表示される情報であってユーザに対応する情報であるユーザ対応情報を指定する「指定情報」である。対応テーブル５１は、ユーザと、ユーザに対応するユーザ対応情報との対応関係が定義されたテーブルである。対応テーブル５１は、図５のＳ１０３、図７のＳ２０３において、乗場側情報表示部１１ａに表示するべき情報の内容を各ユーザごとに指定している。例えばユーザＡ７１の個人番号が３０１であれば、ユーザＡ７１については、Ｓ１０３，Ｓ２０３において、「ニュース」、「３階乗場の映像」、「宅配ボックス３０１の情報」が表示される。【００４１】
ここで、表示対象情報入力部２０と、表示内容Ａ等との関係を述べておく。
（１）一般情報受信部２１は、例えばニュースを配信するサーバ装置（他の装置）からニュースを取得する。これは対応テーブル５１の表示内容Ａに対応する。
（２）宅配物情報入力部２２は、部屋ｎ（ｎは部屋番号）ごとに設けられている宅配ボックスｎに配置された検出装置（他の装置）のそれぞれから、宅配ボックスｎに荷物があるかどうかの検出信号（宅配物情報の一例）を取得する。これは対応テーブル５１の表示内容Ｃに対応する。
（３）居室内情報入力部２３は、部屋ｎごとに配置された撮影装置（他の装置）のそれぞれから部屋内部の撮影画像（居室内情報の一例）を取得する。対応テーブル５１の例では指定されていない。
（４）乗場階情報入力部２４は、それぞれの階のエレベータ乗場に配置された撮影装置（他の装置）のそれぞれから乗場の撮影画像（乗場階情報の一例）を取得する。これは対応テーブル５１の表示内容Ｂに対応する。【００４２】
図１１は、呼び登録装置１００が、個人認証に基づいてユーザ対応情報を表示する動作を示すフローチャートであり、図５のＳ１０３、図７のＳ２０３の処理内容を示している。図１１を参照して、呼び登録装置１００がユーザ対応情報を表示する動作を説明する。【００４３】
Ｓ３０１において、表示切換制御部２は、照合部４によってユーザＡ７１が認証された場合に、対応テーブル５１を参照することにより、認証されたユーザＡ７１に対応する指定情報を特定する。この場合、ユーザＡ７１の個人番号を「３０１」とすれば、表示切換制御部２は、「個人番号３０１」に対応する指定情報を特定する。この場合、特定される指定情報は、「ニュース」、「３階乗場の映像」、「宅配ボックス３０１の情報」である。【００４４】
Ｓ３０２において、表示切換制御部２は、特定された「指定情報」に基づいて、表示対象情報入力部２０により入力された複数の表示対象情報のなかから認証されたユーザＡ７１に対応するユーザ対応情報を選択する。この場合、表示切換制御部２は、「ニュース」、「３階乗場の映像」、「宅配ボックス３０１の情報」を選択する。そして、表示切換制御部２は、選択されたユーザＡ７１のユーザ対応情報を乗場側情報表示部１１ａに表示する。【００４５】
以上の実施の形態２では、呼び登録装置１００の表示切換制御部２は、個人認証が成立すると、ユーザ対応情報を表示する。このため、個人に対応した情報を提供できるので、利便性が向上する。【００４６】
以上の実施の形態では、呼び登録端末１０は、タッチパネルディスプレイを想定して説明した。しかし、呼び登録端末１０は、タッチパネルディスプレイに限定するものではない。タッチパネルディスプレイの他、呼び登録端末１０は、行先釦と、液晶ディスプレイのような表示部とを備えた構成でも構わない。また、表示対象情報入力部２０により入力した表示対象情報は、呼び登録端末１０の備える乗場側情報表示部１１ａに表示した。しかし、表示対象情報は、呼び登録端末１０に表示するのではなく、認証情報入力装置４０が置かれたエレベータ乗場やかご６０内に設けられた表示装置（例えば液晶ディスプレイ）に表示する構成でも構わない。
【図面の簡単な説明】
【００４７】
【図１】実施の形態１における乗場呼び登録端末１０ａと認証情報入力装置４０とが同一乗場に設置された場合を示す図。
【図２】実施の形態１における乗場呼び登録端末１０ａの乗場側情報表示部１１ａの表示を示す図。
【図３】実施の形態１における呼び登録装置１００の動作概要のフローチャート。
【図４】実施の形態１における呼び登録装置１００の構成を示す図。
【図５】実施の形態１における乗場呼び登録端末１０ａと認証情報入力装置４０とが同一乗場に設置された場合の表示切換制御部２の動作のフローチャート。
【図６】実施の形態１におけるかご呼び登録端末１０ｂが、かご６０内に設置される場合を説明する図。
【図７】実施の形態１におけるかご呼び登録端末１０ｂがかご６０内に設置された場合における、表示切換制御部２の動作のフローチャート
【図８】実施の形態２における呼び登録装置１００の構成を示すブロック図。
【図９】実施の形態２における呼び登録装置１００の動作概要のフローチャート。
【図１０】実施の形態２における対応テーブル５１を示す図。
【図１１】実施の形態２における呼び登録装置１００が個人認証に基づきユーザ対応情報を表示する動作のフローチャート。
【符号の説明】
【００４８】
２  表示切換制御部、４  照合部、５  個人情報データベース、５１  対応テーブル、１０ａ  乗場呼び登録端末、１０ｂ  かご呼び登録端末、１１ａ  乗場側情報表示部、１１ｂ  かご側情報表示部、１２ａ  乗場側呼び入力制御部、１２ｂ  かご側呼び入力制御部、２０  表示対象情報入力部、２１  一般情報受信部、２２  宅配物情報入力部、２３  居室内情報入力部、２４  乗場階情報入力部、３１  かご内乗客検出部、３２  乗場エレベータ利用者検出部、３３  かご停止検出部、４０  認証情報入力装置、８０  共通管理装置、８１  乗場呼び登録部、８２  乗場行先呼び自動登録部、８３  かご行先呼び割当部、９０  各台管理装置、９１  かご呼び登録部、１００  呼び登録装置。
【図１】
2009122492.tif 000003
【図２】
2009122492.tif 000004
【図３】
2009122492.tif 000005
【図４】
2009122492.tif 000006
【図５】
2009122492.tif 000007
【図６】
2009122492.tif 000008
【図７】
2009122492.tif 000009
【図８】
2009122492.tif 000010
【図９】
2009122492.tif 000011
【図１０】
2009122492.tif 000012
【図１１】
2009122492.tif 000013
【国際調査報告】
2009122492.tif 000014
2009122492.tif 000015